(57)【要約】【課題】いずれかのプーリからタイミングベルトを取り外す際にタイミングベルトが緩んでも、他のプーリから外れることを防止できる動力伝達機構、及びこの動力伝達機構を備えた画像形成装置を提供する。【解決手段】駆動プーリ７１と従動プーリ８１とタイミングベルト６１とを備えた動力伝達機構６０において、従動プーリ８１の外周に対向する位置に、外周形状が円形である回転部材８４，８５（タイミングベルト外れ防止具）を設置した。さらに、回転部材８４，８５の一方の端面の外周にフランジ部８４ｂ，８５ｂを形成すると共に、回転部材８４，８５のフランジ部８４ｂ，８５ｂを形成した端面とは反対側の従動プーリ８１の端面の外周にもフランジ部８１ｂを形成した。これら回転部材８４，８５によって、タイミングベルト６１を駆動プーリ７１から取り外す際に、従動プーリ８１から外れてしまうことを防止できる。【選択図】図２
2007247764.tif 000002
【特許請求の範囲】
【請求項１】
複数のプーリと、該複数のプーリに掛け渡されたタイミングベルトとを備え、前記複数のプーリの間で前記タイミングベルトを介して動力を伝達する動力伝達機構において、
前記複数のプーリのうち少なくともいずれかに、該プーリの外周に対向して設置されたタイミングベルト外れ防止具を備えたことを特徴とする動力伝達機構。
【請求項２】
請求項１に記載の動力伝達機構において、
前記タイミングベルト外れ防止具は、前記プーリの外周側に回転自在に設置された円形の回転部材であり、該回転部材の外周が前記プーリの外周に対向して配置されていることを特徴とする動力伝達機構。
【請求項３】
請求項２に記載の動力伝達機構において、
前記回転部材は、一のプーリに対して複数設置され、各回転部材が同一の形状であることを特徴とする動力伝達機構。
【請求項４】
請求項２又は３に記載の動力伝達機構において、
前記回転部材のいずれか一方の端面の外周にフランジ部が形成されていることを特徴とする動力伝達機構。
【請求項５】
請求項４に記載の動力伝達機構において、
前記回転部材を回転自在に軸支する軸部材と、前記プーリを回転自在に軸支する軸部材とが平行に設けられており、前記軸部材の軸方向において、前記回転部材のフランジ部は前記プーリの一方の端面の一部を覆うように形成されており、
さらに、前記プーリの他方の端面の外周には、前記回転部材のフランジ部が形成されていない側の端面の一部を覆うようにフランジ部が形成されていること、を特徴とする動力伝達機構。
【請求項６】
モータを備えた駆動部と、前記駆動部で駆動される現像ローラにトナーを補給するトナー補給機構を備えた従動部と、前記駆動部から前記従動部に動力を伝達する動力伝達機構と、を備えた画像形成装置において、
前記駆動部に設けた駆動プーリと、前記従動部に設けた従動プーリとを備え、
前記動力伝達機構として請求項１乃至５のいずれか１項に記載の動力伝達機構を用いて前記駆動プーリから前記従動プーリに動力を伝達するように構成したことを特徴とする画像形成装置。
【請求項７】
請求項６に記載の画像形成装置において、
前記画像形成装置は、前記駆動プーリから前記タイミングベルトを取り外し可能な状態で、前記従動プーリの少なくとも一部を覆って取り付けられた他の部材を具備し、当該他の部材を取り外さなければ前記従動プーリに前記タイミングベルトを掛け直すことができない構造であって、
前記タイミングベルト外れ防止具が前記従動プーリに設けられていることを特徴とする画像形成装置。
【請求項８】
請求項７に記載の画像形成装置において、
前記他の部材は、回路基盤が取り付けられた板状部材であることを特徴とする画像形成装置。
【発明の詳細な説明】
【技術分野】
【０００１】
本発明は、複数のプーリと、該複数のプーリに掛け渡されたタイミングベルトとを備え、複数のプーリの間でタイミングベルトを介して動力を伝達する動力伝達機構、及びこの動力伝達機構を備えた画像形成装置に関するものである。
【背景技術】
【０００２】
従来の複写機やプリンタ等の画像形成装置では、モータを備えた駆動部から、現像ローラにトナーを補給するトナー補給機構や用紙を搬送する用紙搬送機構等の従動部に動力を伝達する動力伝達機構を備えたものがある。この動力伝達機構として、駆動部側に設けた駆動プーリと従動部側に設けた従動プーリとの間にタイミングベルトを掛け渡し、このタイミングベルトを介して駆動プーリから従動プーリに動力を伝達する動力伝達機構（一般的な動力伝達機構として、特許文献１）を採用したものがある。
【特許文献１】特開平７−２５９９３６号公報
【発明の開示】
【発明が解決しようとする課題】
【０００３】
ところが、この種の画像形成装置では、動力伝達機構のメンテナンスや修理を行う際に、駆動プーリや従動プーリに掛けられたタイミングベルトを取り外す作業を行う場合があるが、その際、駆動プーリ又は従動プーリのうちいずれか一方からのみタイミングベルトを取り外せば済むことがある。しかしながら、一方のプーリからタイミングベルトを取り外すと、タイミングベルトが緩むことで、取り外す必要のない他方のプーリからもタイミングベルトが外れてしまうことがあった。それによって、タイミングベルトを掛け直す作業に手間がかかり、メンテナンスや修理の効率が悪くなるという問題があった。
【０００４】
本発明は上述の点に鑑みてなされたものでありその目的は、いずれかのプーリからタイミングベルトを取り外す際にタイミングベルトが緩んでも、他のプーリからタイミングベルトが外れることを防止できる動力伝達機構、及びこの動力伝達機構を備えた画像形成装置を提供することにある。
【課題を解決するための手段】
【０００５】
上記課題を解決するため本願の請求項１に記載の発明は、複数のプーリと、該複数のプーリに掛け渡されたタイミングベルトとを備え、前記複数のプーリの間で前記タイミングベルトを介して動力を伝達する動力伝達機構において、前記複数のプーリのうち少なくともいずれかに、該プーリの外周に対向して設置されたタイミングベルト外れ防止具を備えたことを特徴とする。
【０００６】
本願の請求項２に記載の発明は、請求項１に記載の動力伝達機構において、前記タイミングベルト外れ防止具は、前記プーリの外周側に回転自在に設置された円形の回転部材であり、該回転部材の外周が前記プーリの外周に対向して配置されていることを特徴とする。
【０００７】
本願の請求項３に記載の発明は、請求項２に記載の動力伝達機構において、前記回転部材は、一のプーリに対して複数設置され、各回転部材が同一の形状であることを特徴とする。
【０００８】
本願の請求項４に記載の発明は、請求項２又は３に記載の動力伝達機構において、前記回転部材のいずれか一方の端面の外周にフランジ部が形成されていることを特徴とする。
【０００９】
本願の請求項５に記載の発明は、請求項４に記載の動力伝達機構において、前記回転部材を回転自在に軸支する軸部材と、前記プーリを回転自在に軸支する軸部材とが平行に設けられており、前記軸部材の軸方向において、前記回転部材のフランジ部は前記プーリの一方の端面の一部を覆うように形成されており、さらに、前記プーリの他方の端面の外周には、前記回転部材のフランジ部が形成されていない側の端面の一部を覆うようにフランジ部が形成されていること、を特徴とする。
【００１０】
本願の請求項６に記載の発明は、モータを備えた駆動部と、前記駆動部で駆動される現像ローラにトナーを補給するトナー補給機構を備えた従動部と、前記駆動部から前記従動部に動力を伝達する動力伝達機構と、を備えた画像形成装置において、前記駆動部に設けた駆動プーリと、前記従動部に設けた従動プーリとを備え、前記動力伝達機構として請求項１乃至５のいずれか１項に記載の動力伝達機構を用いて前記駆動プーリから前記従動プーリに動力を伝達するように構成したことを特徴とする。
【００１１】
本願の請求項７に記載の発明は、請求項６に記載の画像形成装置において、前記画像形成装置は、前記駆動プーリから前記タイミングベルトを取り外し可能な状態で、前記従動プーリの少なくとも一部を覆って取り付けられた他の部材を具備し、当該他の部材を取り外さなければ、前記従動プーリに前記タイミングベルトを掛け直すことができない構造であって、前記タイミングベルト外れ防止具が前記従動プーリに設けられていることを特徴とする。
【００１２】
本願の請求項８に記載の発明は、請求項７に記載の画像形成装置において、前記他の部材は、回路基盤が取り付けられた板状部材であることを特徴とする。
【発明の効果】
【００１３】
本願の請求項１に記載の発明によれば、複数のプーリのうち少なくともいずれかに、該プーリの外周に対向して設置されたタイミングベルト外れ防止具を備えたので、一のプーリからタイミングベルトを取り外した際にタイミングベルトが緩んでも、タイミングベルト外れ防止具を備えたプーリからタイミングベルトが外れずに済む。したがって、タイミングベルトを取り外す必要がないプーリにタイミングベルト外れ防止具を設置しておけば、当該プーリからタイミングベルトが外れてしまうことを防止できるので、メンテナンスや修理の際に、タイミングベルトを掛け直す作業が必要にならずに済む。
【００１４】
本願の請求項２に記載の発明によれば、タイミングベルト外れ防止具は、プーリの外周側に回転自在に設置された円形の回転部材であり、該回転部材の外周がプーリの外周に対向して配置されているので、プーリが回転する際にタイミングベルトの外面が回転部材の外周に接触しても、タイミングベルトの進行に伴って回転部材が回転するため、プーリの回転力がロスするおそれがなく、スムーズな回転が妨げられずに済む。
【００１５】
本願の請求項３に記載の発明によれば、回転部材は、一のプーリに対して複数設置されているので、プーリからタイミングベルトが外れることをより効果的に防止できると共に、各回転部材が互いに同一の形状であるので、タイミングベルト外れ防止具に必要な部品の種類が少なくて済み、動力伝達機構をより安価に構成できる。
【００１６】
本願の請求項４に記載の発明によれば、回転部材のいずれか一方の端面の外周にフランジ部が形成されているので、このフランジ部によって、プーリに掛けられたタイミングベルトがフランジ側にずれて外れることを防止できる。
【００１７】
本願の請求項５に記載の発明によれば、回転部材を回転自在に軸支する軸部材と、プーリを回転自在に軸支する軸部材とが平行に設けられており、軸部材の軸方向において、回転部材のフランジ部はプーリの一方の端面の一部を覆うように形成されており、さらに、プーリの他方の端面の外周には、回転部材のフランジ部が形成されていない側の端面の一部を覆うようにフランジ部が形成されているので、プーリに掛けられたタイミングベルトが、回転部材のフランジ部とプーリのフランジ部との間に位置した状態になるので、タイミングベルトがプーリからその両端側にずれて外れることを防止できる。
【００１８】
本願の請求項６に記載の発明によれば、モータを備えた駆動部と、駆動部で駆動される現像ローラにトナーを補給するトナー補給機構を備えた従動部と、駆動部から従動部に動力を伝達する動力伝達機構と、を備えた画像形成装置において、駆動部に設けた駆動プーリと、従動部に設けた従動プーリとを備え、動力伝達機構として請求項１乃至５のいずれか１項に記載の動力伝達機構を用いて駆動プーリから従動プーリに動力を伝達するように構成したので、動力伝達機構のメンテナンスや修理の際に、駆動プーリ又は従動プーリのいずれか一方からのみタイミングベルトを取り外せば必要な修理等が行なえる場合に、取り外す必要のない他方のプーリからタイミングベルトが外れてしまうことを防止できるので、メンテナンスや修理の作業の手間が軽減される。
【００１９】
本願の請求項７，８に記載の発明によれば、画像形成装置が、駆動プーリからタイミングベルトを取り外し可能な状態で、従動プーリの少なくとも一部を覆って取り付けられた他の部材を具備し、当該他の部材を取り外さなければ、従動プーリにタイミングベルトを掛け直すことができない構造であって、タイミングベルト外れ防止具が従動プーリに設けられているので、駆動プーリからタイミングベルトを取り外す作業を行う際に、従動プーリからタイミングベルトが外れてしまうことを防止できる。したがって、タイミングベルトを掛け直すために他の部材を取り外さずに済むので、メンテナンスや修理の作業の手間が軽減される。
【発明を実施するための最良の形態】
【００２０】
以下、本発明の実施形態を図面に基づいて詳細に説明する。図１は、本発明の一実施形態に係る画像形成装置の構成を示す概略側断面図である。同図に示す画像形成装置１は、装置内の下段部に給紙部１０を設け、上段部に排紙部２０を設け、これら給紙部１０と排紙部２０とをつなぐ用紙搬送路３１を備えた用紙搬送機構３０を設けると共に、用紙搬送路３１を搬送される用紙に像を記録する記録部５０を設けて構成されている。
【００２１】
給紙部１０には、給紙カセット１１が設置されており、この給紙カセット１１内に、図示しない付勢手段によって上方に付勢されたフラッパ１２が設置されると共に、給紙カセット１１の一端の上部にピックアップローラ１３が設置されている。これによりフラッパ１２上に積置された複数枚の用紙のうち最上部の用紙がピックアップローラ１３に圧接されている。その状態でピックアップローラ１３が回転することで、摩擦力によって用紙が一枚ずつ用紙搬送路３１に供給されるようになっている。
【００２２】
用紙搬送路３１には、その給紙部１０に近い側から順に、フィードローラ３２及びプレスローラ３３、記録部５０、定着ローラ３４及びプレスローラ３５、フィードローラ３６及びプレスローラ３７が設けられている。記録部５０は、現像器ユニット５１、クリーニング機構５２、コロナ帯電器５３、感光体ドラム５４、転写ローラ５５、露光装置５６、などの各部を備えている。また５７は、トナーカートリッジである。現像器ユニット５１には、トナーカートリッジ５７からトナーを補給するトナー補給機構が設けられている。このトナー補給機構として、図示しない搬送スパイラル等の公知の補給機構が用いられる。クリーニング機構５２は、転写後の感光体ドラム５４の表面に付着した残留トナーや紙粉等の異物をクリーニングローラで補足して感光体ドラム５４の表面を清掃する。コロナ帯電器５３は、放電ワイヤからのコロナ放電により露光装置５６で画像記録信号に応じて露光することで静電潜像を形成する。現像器ユニット５１は、トナーカートリッジ５７から補給されたトナーを感光体ドラム５４に形成された静電潜像に転写させて、静電潜像を可視像化する。
【００２３】
記録部５０で記録動作を行うには、まず、ピックアップローラ１３で用紙搬送路３１に用紙を供給する。この用紙がフィードローラ３２及びプレスローラ３３で搬送されて感光体ドラム５４の位置まで来たら、用紙を挟んで感光体ドラム５４と対向する位置に設置された転写ローラ５５に所定の電圧を印加することで、感光体ドラム５４の表面に形成されたトナー像を用紙に転写する。用紙に転写されたトナー像を、定着ローラ３４及びプレスローラ３５で挟持することで加熱・プレスして定着させる。トナー像が定着した用紙は、フィードローラ３６及びプレスローラ３７で搬送されて、排紙ローラ３８及びプレスローラ３９で挟持されて、排紙部２０の排紙トレイ２１に排出される。
【００２４】
また用紙搬送機構３０には、手差し給紙機構が設けられている。この手差し給紙機構で手差し給紙を行なうには、側面カバー４０を開いて給紙ローラ４１に用紙を差し込む。差し込まれた用紙は、給紙ローラ４１で用紙搬送路３１に供給される。また用紙搬送機構３０には、用紙搬送路３１から分岐して設けられた反転搬送路４２を備えた反転搬送機構が設置されている。この反転搬送機構では、用紙搬送路３１を通ってその片面に像が記録された用紙が、一旦排紙ローラ３８及びプレスローラ３９で挟持されて、排紙トレイ２１に搬出される。その後、排紙ローラ３８を逆回転させることでこの用紙を反転搬送路４２に導入し、フィードローラ４３及びプレスローラ４４、フィードローラ４５及びプレスローラ４６、フィードローラ４７及びプレスローラ４８の各搬送ローラにより反転搬送路４２内を下方に向けて搬送する。そして、この用紙が再度フィードローラ３２及びプレスローラ３３により用紙搬送路３１内を搬送されることで、用紙の他方の面への像の記録が行われる。このようにして用紙の両面に記録をすることができる。
【００２５】
次に、図２は、この画像形成装置１に設置された動力伝達機構の概略構成を示す図である。画像形成装置１は、上記の給紙部１０、排紙部２０、用紙搬送機構３０、記録部５０、トナー補給機構などの各部を備えているが、さらに、図２に示すモータ７３等の駆動源を備えた駆動部７０と、上記のトナー補給機構等からなる従動部８０と、駆動部７０から従動部８０に動力を伝達する動力伝達機構６０とを備えている。動力伝達機構６０は、駆動部７０に設けた駆動プーリ７１と、従動部８０に設けた従動プーリ８１と、駆動プーリ７１と従動プーリ８１の間に掛け渡されたタイミングベルト６１とを備えて構成されている。従動部８０では、従動プーリ８１の動力が上記のトナー補給機構等に伝達されてその各部が駆動されるようになっている。
【００２６】
駆動プーリ７１と従動プーリ８１は、いずれもＰＯＭ等の樹脂材からなる外周形状が円形の平板状部材で、各々が軸部材７２，８２に回転自在に取り付けられている。ここでは駆動プーリ７１よりも従動プーリ８１の方が大きな径寸法に形成されている。タイミングベルト６１は、ゴム等の伸縮性を有する材料からなる線状又は細板状のリング状部材で、駆動プーリ７１と従動プーリ８１との間に掛け渡されている。また、詳細な図示は省略するが、駆動プーリ７１と従動プーリ８１の外周面に設けた歯が、タイミングベルト６１の内面に設けた連続する突起部に噛み合った状態になっている。
【００２７】
従動プーリ８１に隣接する位置には、タイミングベルト６１を掛ける一対のテンションローラ６２，６３が設置されている。これらテンションローラ６２，６３は、支持部材６４に取り付けられ、該支持部材６４が図示しない付勢手段によって駆動プーリ７１と従動プーリ８１を結ぶ直線上から離れる方向に向かって付勢されている。したがってテンションローラ６２，６３によって、駆動プーリ７１と従動プーリ８１の間に位置するタイミングベルト６１が略直角に屈曲した状態で張架されている。これは、駆動プーリ７１と従動プーリ８１を結ぶ直線上に図示しない他の部材を設置する必要があり、その位置にタイミングベルト６１を張設することができないため、タイミングベルト６１を迂回させるための機構として設置されたものである。
【００２８】
一方、駆動部７０には、モータ７３と、該モータ７３の回転を伝達する複数のギヤを備えた動力伝達部７４が設置され、動力伝達部７４のギヤを介してモータ７３の回転が駆動プーリ７１に伝達されるようになっている。また従動部８０には、従動プーリ８１の回転を伝達する複数のギヤを備えた動力伝達部８３が設置され、動力伝達部８３のギヤを介して従動プーリ８１の回転が、トナー補給機構の回転機構部等に伝達されるようになっている。なお８８は、従動プーリ８１等が取り付けられている板状の取付部材である。
【００２９】
そして、この動力伝達機構６０は、従動プーリ８１の外周に対向する位置に、タイミングベルト外れ防止具である一対の回転部材８４，８５を設置している。これら回転部材８４，８５は、いずれもＰＯＭ等の樹脂材で構成され、互いに同一の形状である円形の外周形状を備えて形成されている。またこれら回転部材８４，８５は、従動プーリ８１を取り付けている軸部材８２と平行に立設された軸部材８６，８７に回転自在に取り付けられている。図３は、図２に示す従動プーリ８１と回転部材８４を、同図に示すＡ方向から見た矢視図である。この図３に示すように、回転部材８４は、その外周側面８４ａが従動プーリ８１の外周側面８１ａに対向して配置され、従動プーリ８１の外周側面８１ａとの間にタイミングベルト６１を介在させた状態になっている。
【００３０】
回転部材８４の外周側面８４ａと従動プーリ８１の外周側面８１ａとの隙間の寸法は、従動プーリ８１が回転する際に、この隙間内に位置するタイミングベルト６１の外面が回転部材８４の外周側面８４ａに接触しない程度の微小な寸法に形成されている。これにより、従動プーリ８１に掛けられているタイミングベルト６１が緩んだ場合でも、タイミングベルト６１が回転部材８４の外周側面８４ａでガイドされることによって、従動プーリ８１から外れることを防止できる。また、回転部材８４は回転自在なので、従動プーリ８１が回転する際に、タイミングベルト６１の外面が回転部材８４の外周側面８４ａに接触した場合でも、タイミングベルト６１の進行に伴って回転部材８４が回転できるため、従動プーリ８１の回転力がロスするおそれがなく、そのスムーズな回転が妨げられない。他方の回転部材８５も、詳細な図示は省略するが、従動プーリ８１に対して回転部材８４と同様の状態で設置されている。
【００３１】
また、回転部材８４には、図３に示すように軸部材８６の軸方向における一方の端面（取付部材８８側と反対側の端面）の外周に、従動プーリ８１に向かって突出したフランジ部８４ｂが形成されている。回転部材８５にも同形状のフランジ部８５ｂ（図２参照）が形成されている。これらフランジ部８４ｂ，８５ｂは、軸部材８６，８７の軸方向（より詳細には、軸部材８６，８７の軸方向における一端側）において、従動プーリ８１の前記一方の端面の一部（当該端面外周の一部）を覆うように形成されているので、これらフランジ部８４ｂ，８５ｂによって、タイミングベルト６１が緩んだ際に、タイミングベルト６１が従動プーリ８１からフランジ部８４ｂ，８５ｂ側にずれて外れることを防止できる。さらに、この回転部材８４，８５のフランジ部８４ｂ，８５ｂを設けた端面とは反対側の従動プーリ８１の端面（取付部材８８側の端面）の外周には、回転部材８４，８５に向かって突出したフランジ部８１ｂが形成されている。このフランジ部８１ｂは、回転部材８４，８５のフランジ部８４ｂ，８５ｂを設けた端面とは反対側の端面の一部（当該端面外周の一部）を覆うように形成されている。したがって、フランジ部８４ｂ（８５ｂ）とフランジ部８１ｂの間にタイミングベルト６１が配置された状態になっているので、従動プーリ８１に掛けられているタイミングベルト６１が緩んだ場合でも、タイミングベルト６１が従動プーリ８１の外周側面８１ａから両端側にずれて外れることを防止できる。
【００３２】
図４は、上記構成の動力伝達機構６０を画像形成装置１に取り付けた状態を説明するための図で、画像形成装置１において、外装カバー（図示せず）を取り外した状態を示す概略側面図である。動力伝達機構６０は、画像形成装置１の側面部１ａに設置されている。即ち、この状態では、駆動プーリ７１が画像形成装置１の側面部１ａに露出している一方で、従動プーリ８１を覆う位置に、他の部材である金属製等の板状部材２が取り付けられていて、さらにこの板状部材２の上に回路基盤３が固定されている。そのため、タイミングベルト６１を駆動プーリ７１から取り外してメンテナンスや修理を行う際に、タイミングベルト６１が緩み従動プーリ８１から外れてしまうと、回路基盤３と板状部材２をこの順に取り外さなければ、従動プーリ８１にタイミングベルト６１を掛け直すことができない構造になっている。
【００３３】
しかしながら、本実施形態の動力伝達機構６０では、上記で説明したように、従動プーリ８１に掛けられたタイミングベルト６１が従動プーリ８１から外れることを防止するタイミングベルト外れ防止具である回転部材８４，８５を備えているため、駆動プーリ７１からタイミングベルト６１を取り外す際にタイミングベルト６１が緩んでも、タイミングベルト６１が従動プーリ８１から外れてしまうことを防止できる。したがって、メンテナンスや修理の際に、従動プーリ８１にタイミングベルト６１を掛け直すため回路基盤３や板状部材２を取り外すという作業が必要にならずに済む。これにより、メンテナンスや修理の手間が軽減される。なお図４では、板状部材２が従動プーリ８１の全体を覆って取り付けられている場合を示したが、画像形成装置１が、板状部材２を取り外さなければ従動プーリ８１にタイミングベルト６１を掛け直すことができない構造であれば、板状部材２は従動プーリ８１の少なくとも一部を覆って取り付けられていればよい。
【００３４】
上記の実施形態では、回転部材８４，８５を従動プーリ８１側に設けた場合を示したが、駆動プーリ７１からタイミングベルト６１が外れることを防止する必要がある場合は、回転部材８４，８５を駆動プーリ７１側に設けてもよい。また上記の実施形態では、駆動プーリ７１と従動プーリ８１の間にタイミングベルト６１を掛け渡した場合を示したが、これ以外にもさらに別の従動プーリを設置して、三個以上のプーリの間にタイミングベルト６１を掛け渡すように構成し、いずれかのプーリにタイミングベルト外れ防止具を設置することも可能である。
【００３５】
また、回転部材の数は二個には限定されず、それ以外の個数でも良い。各回転部材の配置も図面に示した配置には限定されず、それ以外の配置でもよい。また、回転部材８４（８５）に形成したフランジ部８４ｂ（８５ｂ）や、従動プーリ８１に形成したフランジ部８１ｂは、省略することも可能である。また上記の実施形態では、タイミングベルト外れ防止具として、外周形状が円形の回転部材を説明したが、タイミングベルト外れ防止具はこれ以外の形状にすることもできるし、回転しない部材で構成しても良い。
【００３６】
また、この動力伝達機構６０における従動部８０側の機構は、トナー補給機構には限定されず、それ以外にも、例えば用紙搬送機構３０などの他の機構を従動部８０側の機構として、従動プーリ８１からの動力が伝達されてその各部が駆動されるように構成してもよい。また、本発明の動力伝達機構を用いる画像形成装置としては、複写機、コピー機、ファクシミリ装置、あるいはこれらの機能を兼ね備えた複合機等のいずれとすることも可能である。さらに本発明の動力伝達機構は、画像形成装置以外にも、複数のプーリの間でタイミングベルトを介して動力を伝達する動力伝達機構を使用する装置であれば、各種の装置に用いることが可能である。
【００３７】
以上本発明の実施形態を説明したが、本発明は上記実施形態に限定されるものではなく、特許請求の範囲、及び明細書、図面に記載された技術的思想の範囲内において種々の変形が可能である。なお、直接明細書及び図面に記載のない何れの形状・構造・材質であっても、本願発明の作用・効果を奏する以上、本願発明の技術的思想の範囲内である。
【図面の簡単な説明】
【００３８】
【図１】本発明の一実施形態に係る画像形成装置１の構成を示す概略側断面図である。
【図２】画像形成装置１が備える動力伝達機構６０の構成を示す概略図である。
【図３】図２に示す従動プーリ８１と回転部材８４を、同図のＡ方向から見た矢視図である。
【図４】動力伝達機構６０の取り付け状態を説明するための図で、画像形成装置１の概略側面図である。
【符号の説明】
【００３９】
１      画像形成装置
２      板状部材
３      回路基盤
１０    給紙部
２０    排紙部
３０    用紙搬送機構
３１    用紙搬送路
４２    反転搬送路
５０    記録部
５１    現像器ユニット
５４    感光体ドラム
５５    転写ローラ
５７    トナーカートリッジ
６０    動力伝達機構
６１    タイミングベルト
７０    駆動部
７１    駆動プーリ
７２    軸部材
７３    モータ
７４    動力伝達部
８０    従動部
８１    従動プーリ
８１ａ  外周側面
８１ｂ  フランジ部
８２    軸部材
８３    動力伝達部
８４    回転部材（タイミングベルト外れ防止具）
８４ａ  外周側面
８４ｂ  フランジ部
８５    回転部材（タイミングベルト外れ防止具）
８５ｂ  フランジ部
８６    軸部材
８７    軸部材
８８    取付部材
【図１】
2007247764.tif 000003
【図２】
2007247764.tif 000004
【図３】
2007247764.tif 000005
【図４】
2007247764.tif 000006